(57)【要約】【課題】  メインパス上のスイッチを除去した状態でリセット波形を印加することができるプラズマディスプレイパネルの駆動装置及び駆動方法を提供する。【解決手段】  リセット区間において，ａ）アドレス区間に選択されない前記第１電極に印加される電圧と大きさが同一な第１電圧を印加する段階；ｂ）前記第１電極に，前記第１電圧から第２電圧まで上昇する波形を印加する段階；及びｃ）前記第１電極の電圧を第３電圧まで低下させる段階；を含む。【選択図】    図５
2005266776.tif 000002
【特許請求の範囲】
【請求項１】
第１電極及び第２電極，前記第１電極及び第２電極の間に形成されるパネルキャパシタを含むプラズマディスプレイパネルの駆動方法において，
リセット区間において，
ａ）アドレス区間に選択されない前記第１電極に印加される電圧と大きさが同一な第１電圧を印加する段階；
ｂ）前記第１電極に，前記第１電圧から第２電圧まで徐々に上昇する波形を印加する段階；及び
ｃ）前記第１電極の電圧を第３電圧まで低下させる段階；を含む，
ことを特徴とするプラズマディスプレイパネルの駆動方法。
【請求項２】
前記第３電圧は，前記第１電圧と同一の値である，ことを特徴とする請求項１に記載のプラズマディスプレイパネルの駆動方法。
【請求項３】
前記第３電圧は，維持放電のために，前記第１電極に印加される維持電圧と大きさが同一の値である，ことを特徴とする請求項１に記載のプラズマディスプレイパネルの駆動方法。
【請求項４】
前記第２電圧は，前記維持電圧と前記第１電圧の合計より大きい，あるいは同一の値である，ことを特徴とする請求項３に記載のプラズマディスプレイパネルの駆動方法。
【請求項５】
複数の第１電極，複数の第２電極，前記第１及び第２電極によって形成されるパネルキャパシタに電圧を印加するプラズマディスプレイパネルの駆動装置において，
第１電圧を供給する第１電源と前記第１電極との間に電気的に連結される第１トランジスタ；及び
第２電圧を充電しているキャパシタの両端に連結され，アドレス期間に，前記複数の第１電極に順に走査電圧を印加するように動作する複数の選択回路；を含み，
リセット区間において，前記選択回路を介して前記第１電極に前記第２電圧を印加し，前記第１トランジスタをターンオンして，前記選択回路を介して前記第１電極に，前記第２電圧より前記第１電圧ほど高い第３電圧まで徐々に上昇する波形を印加する，
ことを特徴とするプラズマディスプレイパネルの駆動装置。
【請求項６】
前記第１電圧は，維持区間に維持放電のために，前記第１電極に印加される電圧より小さい，あるいは同一の値である，ことを特徴とする請求項５に記載のプラズマディスプレイパネルの駆動装置。
【請求項７】
前記選択回路は，
第１端が第１電極に連結され，第２端が前記キャパシタの一端に連結される第２トランジスタ；及び
第１端が第１電極に連結され，第２端が前記キャパシタの他端に連結される第３トランジスタ；を含む，
ことを特徴とする請求項５に記載のプラズマディスプレイパネルの駆動装置。
【請求項８】
前記第１トランジスタがターンオンされる時に前記第２トランジスタをターンオンして，前記第１電極に，前記第２電圧より前記第１電圧ほど高い第３電圧まで
徐々に上昇する波形を印加する，ことを特徴とする請求項７に記載のプラズマディスプレイパネルの駆動装置。
【請求項９】
前記第１電極に上昇する波形を印加した後に前記第１トランジスタをターンオフして，前記第１電極の電圧を前記第２電圧まで低下させる，ことを特徴とする請求項５又は８に記載のプラズマディスプレイパネルの駆動装置。
【請求項１０】
前記維持放電のために，前記第１電極に印加される第４電圧を供給する第２電源と前記第１電極との間に電気的に連結される第４トランジスタをさらに含む，ことを特徴とする請求項５又は８に記載のプラズマディスプレイパネルの駆動装置。
【請求項１１】
前記第１電極に上昇する波形を印加した後に前記第１及び第２トランジスタをターンオフし，前記第３及び第４トランジスタをターンオンして，前記第１電極の電圧を前記第４電圧まで低下させる，ことを特徴とする請求項１０に記載のプラズマディスプレイパネルの駆動装置。
【発明の詳細な説明】
【技術分野】
【０００１】
本発明は，プラズマディスプレイパネル（ＰＤＰ）の駆動装置及び駆動方法に関する。
【背景技術】
【０００２】
近年において，液晶表示装置（ＬＣＤ），電界放出表示装置（ＦＥＤ），ＰＤＰなどの平面表示装置が活発に開発されている。これら平面表示装置のうち，ＰＤＰは他の平面表示装置に比べて輝度及び発光効率が高く，視野角が広いという長所がある。したがって，ＰＤＰが４０インチ以上の大型表示装置で従来のＣＲＴ（Ｃａｔｈｏｄｅ  Ｒａｙ  Ｔｕｂｅ）を代替する表示装置として脚光を浴びている。
【０００３】
上記ＰＤＰは，気体放電によって生成されたプラズマを利用して文字または映像を表示する平面表示装置であって，その大きさによって数十から数百万個以上のピクセルがマトリックス形態に配列されている。このようなＰＤＰは，印加される駆動電圧波形の形態と放電セルの構造によって直流型（ＤＣ型）と交流型（ＡＣ型）とに区分される。
【０００４】
直流型ＰＤＰは，電極が放電空間にそのまま露出されていて，電圧が印加される間，電流が放電空間にそのまま流れるようになるため，電流制限のための抵抗を作らなければならない，という短所がある。一方，交流型ＰＤＰでは，電極を誘電体層が覆っていて，自然にキャパシタンス成分が形成されて電流が制限され，放電時にイオンの衝撃から電極が保護されるので，直流型に比べて寿命が長い，という長所がある。
【０００５】
図１は，ＡＣ型プラズマディスプレイパネルの一部斜視図である。
【０００６】
図１に示すように，第１ガラス基板１上には，誘電体層２及び保護膜３で覆われた走査電極４と維持電極５が対をなして平行に設置される。第２ガラス基板６上には複数のアドレス電極８が設置され，アドレス電極８は絶縁体層７によって覆われている。アドレス電極８の間にある絶縁体層７上には，アドレス電極８と平行に隔壁９が形成されている。また，絶縁体層７の表面及び隔壁９の両側面に蛍光体１０が形成されている。第１ガラス基板１と第２ガラス基板６は，走査電極４とアドレス電極８，及び維持電極５とアドレス電極８が直交するように，放電空間１１を隔てて対向して配置されている。アドレス電極８と，対をなす走査電極４と維持電極５との交差部分にある放電空間とが放電セル１２を形成する。
【０００７】
図２は，プラズマディスプレイパネルの電極配列図を示す。
【０００８】
図２に示すように，ＰＤＰ電極は，ｍ×ｎのマトリックス構成を有している。具体的には，列方向にはアドレス電極（Ａ１〜Ａｍ）が配列されており，行方向にはｎ行の走査電極（Ｙ１〜Ｙｎ）及び維持電極（Ｘ１〜Ｘｎ）が配列されている。以下では，走査電極を“Ｙ電極”，維持電極を“Ｘ電極”と称する。図２に示す放電セル１２は，図１に示す放電セル１２に対応する。
【０００９】
一般的に，ＡＣ型プラズマディスプレイパネルの駆動方法は，時間的な動作変化に表現すれば，リセット期間，アドレシング期間，及び維持期間からなる。
【００１０】
リセット期間は，以前の維持放電によって形成された壁電荷状態を消去し，次のアドレシング動作が円滑に行われるようにするために各セルの状態を初期化させる期間である。アドレシング期間は，パネルにおいて点灯されるセルと点灯されないセルを選択して，点灯されるセル（アドレシングされたセル）に壁電荷を蓄積する動作を行う期間である。維持期間は，アドレシングされたセルに実際に画像を表示するための放電を行う期間であって，維持期間になると，走査電極と維持電極に維持パルスが交互に印加されて維持放電が行われ，映像が表示される。
【００１１】
図３は，従来におけるＹ電極駆動回路を示したものである。
【００１２】
図３に示すように，従来のＹ電極駆動回路は，リセット駆動部３２１，走査駆動部３２２，及び維持駆動部３２３を含む。
【００１３】
リセット駆動部３２１は，リセット区間で上昇するリセット波形を生成する上昇ランプスイッチ（Ｙｒｒ）と，下降するリセット波形を生成する下降ランプ部スイッチ（Ｙｆｒ），電源（Ｖｓｅｔ），フローティング電源として動作するキャパシタ（Ｃｓｅｔ），及びスイッチ（Ｙｐｐ）を含む。
【００１４】
走査駆動部３２２は，アドレス区間で走査パルスを生成し，選択されない走査電極に印加される電圧を供給する電源（ＶｓｃＨ），電圧（ＶｓｃＨ）が保存されたキャパシタ（Ｃｓｃ），及び各々のＹ電極に連結される複数のスキャンＩＣを含む。各々のスキャンＩＣは，パネルキャパシタ（Ｃｐ）に高電圧（ＶｓｃＨ）を供給するスイッチ（ＹｓｃＨ）と，低電圧（０Ｖ）を供給するスイッチ（ＹｓｃＬ）とを含む。
【００１５】
維持駆動部３２３は，維持区間で維持放電パルスを生成し，電源（Ｖｓ）と接地（ＧＮＤ）との間に連結されたスイッチ（Ｙｓ，Ｙｇ）を含む。
【００１６】
このような従来の駆動回路では，リセット区間においてＹ電極にリセット波形が印加される場合にはスイッチ（Ｙｐｐ）をオフさせ，維持駆動部３２３に維持放電電圧（Ｖｓ）より高い電圧がかかることを防止する。同時に，維持駆動部３２３からＹ電極に連結される電流経路を遮断することにより，キャパシタ（Ｃｓｅｔ）とスイッチ（Ｙｒｒ）を介して電圧（Ｖｓ）より高い電圧がＹ電極に印加されるようにする。
【００１７】
ところが，リセット区間に印加される最大電圧によって回路内部の最大電圧が決定され，この値は普通３００〜５００Ｖ程度である。したがって，このように大きい内圧が維持駆動部３２３に印加されると維持駆動部３２３の素子内圧が上昇するため，これを防止するために，図３に示すようにキャパシタ（Ｃｓｅｔ）とスイッチ（Ｙｒｒ）との間にスイッチ（Ｙｐｐ）を連結する。
【発明の開示】
【発明が解決しようとする課題】
【００１８】
しかしながら，スイッチ（Ｙｐｐ）は，維持放電時の大容量の電流及びリセット区間に印加される高い電圧を全て耐えなければならないため，内圧の大きい高価の素子を用いなければならない，という問題がある。また，スイッチ（Ｙｐｐ）が維持放電波形が出力されるメインパスに連結されているため，電流が流れる時に電圧が降下したり波形の歪曲が発生する恐れがある，という問題がある。
【００１９】
したがって，本発明の目的は，メインパス上のスイッチを除去した状態でリセット波形を印加することができるプラズマディスプレイパネルの駆動装置及び駆動方法を提供することにある。
【課題を解決するための手段】
【００２０】
上記課題を解決するため，本発明の第１の観点においては，第１電極及び第２電極，前記第１電極及び第２電極の間に形成されるパネルキャパシタを含むプラズマディスプレイパネルの駆動方法であって，リセット区間において，ａ）アドレス区間に選択されない前記第１電極に印加される電圧と大きさが同一な第１電圧を印加する段階；ｂ）前記第１電極に，前記第１電圧から第２電圧まで上昇する波形を印加する段階；及びｃ）前記第１電極の電圧を第３電圧まで低下させる段階；を含むことを特徴とするプラズマディスプレイパネルの駆動方法が提供される。
【００２１】
また，前記第３電圧は前記第１電圧と同一の値である，又は維持放電のために，前記第１電極に印加される維持電圧と大きさが同一の値である，如く構成するのが好ましい。
【００２２】
また，前記第２電圧は，前記維持電圧と前記第１電圧の合計よりも大きい値である，あるいは同一の値である，如く構成するのが好ましい。
【００２３】
上記課題を解決するため，本発明の第２の観点においては，複数の第１電極，複数の第２電極，前記第１及び第２電極によって形成されるパネルキャパシタに電圧を印加するプラズマディスプレイパネルの駆動装置であって，第１電圧を供給する第１電源と前記第１電極との間に電気的に連結される第１トランジスタ；及び第２電圧を充電しているキャパシタの両端に連結され，アドレス期間に，前記複数の第１電極に順に走査電圧を印加するように動作する複数の選択回路；を含み，リセット区間において，前記選択回路を介して前記第１電極に前記第２電圧を印加し，前記第１トランジスタをターンオンして，前記選択回路を介して前記第１電極に，前記第２電圧より前記第１電圧ほど高い第３電圧まで上昇する波形を印加する，ことを特徴とするプラズマディスプレイパネルの駆動装置が提供される。
【００２４】
また，前記第１電圧は，維持区間で維持放電のために，前記第１電極に印加される電圧より小さい値である，あるいは同一の値である，如く構成するのが好ましい。
【００２５】
また，前記選択回路は，第１端が第１電極に連結され，第２端が前記キャパシタの一端に連結される第２トランジスタ；及び第２端が第１電極に連結され，第２端が前記キャパシタの他端に連結される第３トランジスタ；を含み，前記第１トランジスタがターンオンされる時に前記第２トランジスタをターンオンして，前記第１電極に前記第２電圧より前記第１電圧ほど高い第３電圧まで上昇する波形を印加し，前記第１電極に上昇する波形を印加した後に前記第１トランジスタをターンオフして，前記第１電極の電圧を前記第２電圧まで低下させる，如く構成するのが好ましい。
【００２６】
また，前記維持放電のために前記第１電極に印加される第４電圧を供給する第２電源と前記第１電極との間に電気的に連結される第４トランジスタをさらに含むことができ，前記第１電極に上昇する波形を印加した後に前記第１及び第２トランジスタをターンオフし，前記第３及び第４トランジスタをターンオンして，前記第１電極の電圧を前記第４電圧まで低下させる，如く構成するのが好ましい。
【発明の効果】
【００２７】
本発明によれば，スキャンＩＣのハイサイドスイッチを介してリセット初期電圧を供給することにより，リセット駆動部のフローティング電源と高内圧スイッチ素子であるメインパススイッチを除去することができる。また，上昇ランプ波形を印加するスイッチに連結された電源を維持駆動部の電源と同一にすることによって電源の個数を減らすことができる。したがって，製作費用が節減する効果がある。
【発明を実施するための最良の形態】
【００２８】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２９】
（第１の実施の形態）
まず，本発明の第１の実施の形態にかかるプラズマディスプレイパネルの駆動方法について図面を参照して詳細に説明する。
【００３０】
図４は，本発明の第１の実施の形態にかかるプラズマディスプレイパネル装置を示す図である。
【００３１】
図４に示すように，本発明の実施の形態にかかるプラズマディスプレイパネル装置は，プラズマパネル１００，アドレス駆動部２００，Ｙ電極駆動部３２０，Ｘ電極駆動部３４０，及び制御部４００を含む。
【００３２】
プラズマパネル１００は，列方向に配列されている複数のアドレス電極（Ａ１〜Ａｍ），行方向に配列されている第１電極（Ｙ１〜Ｙｎ）（以下，Ｙ電極とする），及び第２電極（Ｘ１〜Ｘｎ）（以下，Ｘ電極とする）を含む。
【００３３】
アドレス駆動部２００は，制御部２００からアドレス駆動制御信号（ＳＡ）を受信して，表示しようとする放電セルを選択するための表示データ信号を各アドレス電極に印加する。
Ｙ電極駆動部３２０及びＸ電極駆動部３４０は，制御部２００から各々Ｙ電極駆動信号（ＳＹ）とＸ電極駆動信号（ＳＸ）を受信し，Ｘ電極とＹ電極に印加する。
【００３４】
制御部４００は，外部から映像信号を受信し，アドレス駆動制御信号（ＳＡ），Ｙ電極駆動信号（ＳＹ），及びＸ電極駆動信号（ＳＸ）を生成して，各々アドレス駆動部２００，Ｙ電極駆動部３２０，及びＸ電極駆動部３４０に伝達する。
【００３５】
図５は，本発明の第１の実施の形態にかかるＹ電極駆動部３２０の詳細回路図である。
【００３６】
図５に示すように，本発明の第１の実施の形態にかかるＹ電極駆動部３２０は，リセット駆動部３２１，走査駆動部３２２，及び維持駆動部３２３を含む。
【００３７】
リセット駆動部３２１は，電源（Ｖｓｅｔ）に連結され，Ｙ電極に徐々に上昇する波形を印加する上昇ランプスイッチ（Ｙｒｒ）と，接地（ＧＮＤ）に連結され，Ｙ電極に徐々に下降する波形を印加する下降ランプ部スイッチ（Ｙｆｒ）とを含む。
【００３８】
走査駆動部３２２は，アドレス区間で走査パルスを生成し，選択されない走査電極に印加される電圧を供給する電源（ＶｓｃＨ），電圧（ＶｓｃＨ）が保存されたキャパシタ（Ｃｓｃ），及びスキャンＩＣを含む。スキャンＩＣは，パネルキャパシタ（Ｃｐ）に高電圧（ＶｓｃＨ）を供給するスイッチ（ＹｓｃＨ）と，低電圧（０Ｖ）を供給するスイッチ（ＹｓｃＬ）とを含む。
【００３９】
維持駆動部３２３は，維持区間で維持放電パルスを生成し，電源（Ｖｓ）と接地（ＧＮＤ）との間に連結されたスイッチ（Ｙｓ，Ｙｇ）を含む。
【００４０】
ここで，パネルキャパシタ（Ｃｐ）は，Ｘ電極とＹ電極との間のキャパシタンス成分を等価的に示したものである。また，便宜上，パネルキャパシタ（Ｃｐ）のＸ電極は接地端子に連結されたものを表示したが，実際に，Ｘ電極にはＸ電極駆動部３４０が連結されている。
【００４１】
このような本発明の第１の実施の形態にかかるＹ電極駆動部３２０によってパネルキャパシタ（Ｃｐ）にリセットパルスが印加される過程を，図６及び図７を参照して説明する。
【００４２】
図６は，本発明の第１の実施の形態にかかる駆動波形を示したものである。図７は，本発明の第１の実施の形態にかかるＹ電極駆動部３２０のリセット区間で，パネルキャパシタ（Ｃｐ）のＹ電極にリセット波形が印加される場合の電流経路を示す図である。
【００４３】
図７に示すように，Ｙランプ上昇区間の初期には，スイッチ（Ｙｓ）がオフされスイッチ（Ｙｇ）がオンされた状態で，スキャンＩＣのハイサイド（ｈｉｇｈ  ｓｉｄｅ）スイッチ（ＹｓｃＨ）をオンさせる。このとき，キャパシタ（Ｃｓｃ）には電圧（ＶｓｃＨ）が充電されているので，スイッチ（ＹｓｃＨ）を介してキャパシタ（Ｃｐ）のＹ電極には電圧（ＶｓｃＨ）が印加される（図６及び図７の経路１参照）。
【００４４】
その後，スイッチ（ＹｓｃＨ）をオンさせた状態でスイッチ（Ｙｇ）をオフさせ，スイッチ（Ｙｒｒ）をオンさせると，スイッチ（Ｙｒｒ）を介して電圧（Ｖｓｅｔ）まで徐々に増加する電圧が供給されるので，Ｙ電極には，スキャンＩＣのハイサイドスイッチ（ＹｓｃＨ）を介して電圧（ＶｓｃＨ）から電圧（ＶｓｃＨ＋Ｖｓｅｔ）まで徐々に上昇する電圧が印加される（図６及び図７の経路２参照）。
【００４５】
次に，Ｙ電極に，下降するリセット波形を印加する前にスイッチ（Ｙｒｒ）をオフさせスイッチ（Ｙｇ）をオンさせて，図７の経路１を介してＹ電極の電圧を電圧（ＶｓｃＨ）まで低下させる。
【００４６】
その後，スイッチ（Ｙｇ）とスイッチ（ＹｓｃＨ）がオフされ，スイッチ（Ｙｆｒ）とスイッチ（ＹｓｃＬ）がオンされると，パネルキャパシタ（Ｃｐ）−スイッチ（ＹｓｃＬ）−キャパシタ（Ｃｓｃ）−スイッチ（Ｙｆｒ）−接地端（ＧＮＤ）の経路を介して，Ｙ電極には，電圧（ＶｓｃＨ）から０Ｖまで徐々に減少する下降ランプ波形が印加される。
【００４７】
一方，本発明の第１の実施の形態では，下降ランプリセット波形を印加する場合，Ｙ電極の電圧を電圧（ＶｓｃＨ＋Ｖｓｅｔ）から電圧（ＶｓｃＨ）まで低くした後に下降するランプ波形を印加したが，これとは異なるように，下降ランプの開始電圧を電圧（Ｖｓ）まで低下させることもできる。
【００４８】
（第２の実施の形態）
図８は，本発明の第２の実施の形態にかかる駆動波形を示したものである。
【００４９】
図８に示すように，本発明の第２の実施の形態では，Ｙ電極に下降するリセット波形を印加する前にスイッチ（Ｙｒｒ）とスイッチ（ＹｓｃＨ）をオフさせ，スイッチ（Ｙｓ）とスイッチ（ＹｓｃＬ）をオンさせると，Ｙ電極の電圧が電圧（Ｖｓ）まで下降する。
【００５０】
この状態でスイッチ（Ｙｓ）をオフさせ，スイッチ（Ｙｆｒ）をオンさせると，パネルキャパシタ（Ｃｐ）−スイッチ（ＹｓｃＬ）−スイッチ（Ｙｆｒ）−接地端（ＧＮＤ）の経路を介して，Ｙ電極には，電圧（Ｖｓ）から０Ｖまで徐々に減少する下降ランプ波形が印加される。
【００５１】
（第３の実施の形態）
本発明の第１及び第２の実施の形態では，スイッチ（Ｙｒｒ）に連結される電源として電圧（Ｖｓｅｔ）を供給する電源が用いられたが，これとは異なるように，維持電圧を印加する電源（Ｖｓ）を用いることもできる。
【００５２】
図９は，本発明の第３の実施の形態にかかるＹ電極駆動部３２０の回路を示したものである。図１０は，本発明の第３の実施の形態にかかる駆動波形を示したものである。なお，Ｙランプの上昇区間初期にＹ電極に電圧（ＶｓｃＨ）を印加する方法は，本発明の第１及び第２の実施の形態と同一であるので，その説明を省略する。
【００５３】
その後，スイッチ（ＹｓｃＨ）をオンさせた状態でスイッチ（Ｙｒｒ）をオンさせると，スイッチ（Ｙｒｒ）を介して電圧（Ｖｓ）まで徐々に増加する電圧が供給されるので，Ｙ電極には，スキャンＩＣのハイサイドスイッチ（ＹｓｃＨ）を介して，電圧（ＶｓｃＨ）から電圧（ＶｓｃＨ＋Ｖｓ）まで徐々に上昇する電圧が印加される。
【００５４】
次に，Ｙ電極に下降するリセット波形を印加する前にスイッチ（Ｙｒｒ）をオフさせ，スイッチ（Ｙｇ）をオンさせて，Ｙ電極の電圧を電圧（ＶｓｃＨ）まで低下させる。
【００５５】
その後，スイッチ（Ｙｇ）とスイッチ（ＹｓｃＨ）がオフされ，スイッチ（Ｙｆｒ）とスイッチ（ＹｓｃＬ）がオンされると，パネルキャパシタ（Ｃｐ）−スイッチ（ＹｓｃＬ）−キャパシタ（Ｃｓｃ）−スイッチ（Ｙｆｒ）−接地端（ＧＮＤ）の経路を介して，Ｙ電極には，電圧（ＶｓｃＨ）から０Ｖまで徐々に減少する下降ランプ波形が印加される。
【００５６】
本発明の第３の実施の形態においても，本発明の第２の実施の形態と同様に，上昇ランプの印加後，下降ランプの開始電圧を電圧（Ｖｓ）まで低下させることもできる。
【００５７】
（第４の実施の形態）
図１１は，本発明の第４の実施の形態にかかる駆動波形を示したものである。
【００５８】
図１１において，下降ランプリセット波形が印加される過程は本発明の第２の実施の形態と同一であるので，その説明を省略する。
【００５９】
本発明の第３及び第４の実施の形態のように，スイッチ（Ｙｒｒ）に連結される電源として維持駆動部３２３の電源と同一な電源を用いれば，電源の個数を減少させることができる。
【００６０】
一方，本発明の第１〜第４の実施の形態では，下降リセットの最終電圧と選択された放電セルに印加される走査電圧が０Ｖである場合を例に挙げて説明したが，下降リセットの最終電圧と選択された放電セルに印加される走査電圧が負の電圧である場合にも本発明を適用することができる。
【００６１】
このとき，Ｙ電極に負の電圧が印加される時に電流が維持駆動部に逆流することを防止するために，負の電圧を印加するスイッチ（Ｙｆｒ，Ｙｓｃ）と上昇ランプスイッチ（Ｙｒｒ）との間にスイッチ（Ｙｎｐ）を連結する。
【００６２】
（第５の実施の形態）
図１２は，本発明の第５の実施の形態にかかるＹ電極駆動部３２０の詳細回路図である。
【００６３】
図１２に示すように，本発明の第５の実施の形態にかかるＹ電極駆動部３２０は，リセット駆動部３２１，走査駆動部３２２，及び維持駆動部３２３を含む。
【００６４】
リセット駆動部３２１は，電源（Ｖｓｅｔ）に連結され，Ｙ電極に徐々に上昇する波形を印加する上昇ランプスイッチ（Ｙｒｒ）と，負の電圧を供給する電源（Ｖｎｆ）に連結され，Ｙ電極に徐々に下降する波形を印加する下降ランプ部スイッチ（Ｙｆｒ）とを含む。
【００６５】
走査駆動部３２２は，アドレス区間で走査パルスを生成し，選択されない走査電極に印加される電圧を供給する電源（ＶｓｃＨ，ＶｓｃＬ），電源（ＶｓｃＬ）に連結されたスイッチ（Ｙｓｃ），電圧（ＶｓｃＨ−ＶｓｃＬ）が保存されたキャパシタ（Ｃｓｃ），及びスキャンＩＣを含む。スキャンＩＣは，パネルキャパシタ（Ｃｐ）に高電圧（ＶｓｃＨ）を供給するスイッチ（ＹｓｃＨ）と，低電圧（ＶｓｃＬ ）を供給するスイッチ（ＹｓｃＬ）とを含む。
【００６６】
維持駆動部３２３は，維持区間で維持放電パルスを生成し，電源（Ｖｓ）と接地（ＧＮＤ）との間に連結されたスイッチ（Ｙｓ，Ｙｇ）を含む。
【００６７】
また，上記のように，Ｙ電極に負の電圧が印加される時に電流が維持駆動部に逆流することを防止するために，負の電圧を印加するスイッチ（Ｙｆｒ，Ｙｓｃ）と上昇ランプスイッチ（Ｙｒｒ）との間にスイッチ（Ｙｎｐ）を連結する。
【００６８】
このような本発明の第５の実施の形態にかかるＹ電極駆動部３２０によってパネルキャパシタ（Ｃｐ）にリセットパルスが印加される過程を，図１３及び図１４を参照して説明する。
【００６９】
図１３は，本発明の第５の実施の形態にかかる駆動波形を示したものである。図１４は，本発明の第５の実施の形態にかかるＹ電極駆動部３２０のリセット区間において，パネルキャパシタ（Ｃｐ）のＹ電極にリセット波形が印加される場合の電流経路を示す図である。
【００７０】
図１３に示すように，Ｙランプの上昇区間の初期には，スイッチ（Ｙｓ）がオフされスイッチ（Ｙｇ）がオンされた状態で，スキャンＩＣのハイサイドスイッチ（ＹｓｃＨ）をオンさせる。この時，キャパシタ（Ｃｓｃ）には電圧（ＶｓｃＨ−ＶｓｃＬ）が充電されているので，スイッチ（ＹｓｃＨ）を介して，キャパシタ（Ｃｐ）のＹ電極には電圧（ＶｓｃＨ−ＶｓｃＬ）が印加される（図１３及び図１４の経路１参照）。
【００７１】
その後，スイッチ（ＹｓｃＨ）をオンさせた状態でスイッチ（Ｙｇ）をオフさせ，スイッチ（Ｙｒｒ）をオンさせると，スイッチ（Ｙｒｒ）を介して電圧（Ｖｓｅｔ）まで徐々に増加する電圧が供給されるので，Ｙ電極には，スキャンＩＣのハイサイドスイッチ（ＹｓｃＨ）を介して電圧（ＶｓｃＨ−ＶｓｃＬ）から電圧（ＶｓｃＨ−ＶｓｃＬ＋Ｖｓｅｔ）まで徐々に上昇する電圧が印加される（図１３及び図１４の経路２参照）。
【００７２】
次に，Ｙ電極に下降するリセット波形を印加する前にスイッチ（Ｙｒｒ）をオフさせ，スイッチ（Ｙｇ）をオンさせて，図１４の経路１を介してＹ電極の電圧を電圧（ＶｓｃＨ−ＶｓｃＬ）まで低下させる。
【００７３】
その後，スイッチ（Ｙｇ）とスイッチ（ＹｓｃＨ）がオフされ，スイッチ（Ｙｆｒ）とスイッチ（ＹｓｃＬ）がオンされると，パネルキャパシタ（Ｃｐ）−スイッチ（ＹｓｃＬ）−キャパシタ（Ｃｓｃ）−スイッチ（Ｙｆｒ）−電源（Ｖｎｆ）の経路を介して，Ｙ電極には，電圧（ＶｓｃＨ−ＶｓｃＬ）から電圧（Ｖｎｆ）まで徐々に減少する下降ランプ波形が印加される。このとき，スイッチ（Ｙｎｐ）はオフの状態を維持し，電流が維持駆動部に逆流することを防止する。
【００７４】
一方，本発明の第５の実施の形態では，下降ランプリセット波形を印加する時，Ｙ電極の電圧を電圧（ＶｓｃＨ−ＶｓｃＬ＋Ｖｓｅｔ）から電圧（ＶｓｃＨ−ＶｓｃＬ）まで低くした後に下降するランプ波形を印加したが，これとは異なるように，下降ランプ波形を印加する前にスイッチ（Ｙｓ）をオンさせ，下降ランプの開始電圧を電圧（Ｖｓ）まで低下させることもできる。
【００７５】
また，本発明の第５の実施の形態では，スイッチ（Ｙｒｒ）に連結される電源として維持電圧を印加する電源（Ｖｓ）を用いることもできる。
【００７６】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【図面の簡単な説明】
【００７７】
【図１】交流型プラズマディスプレイパネルの一部斜視図である。
【図２】プラズマディスプレイパネルの電極配列図である。
【図３】従来技術によるプラズマディスプレイパネルのＹ電極駆動回路図である。
【図４】本発明の実施の形態にかかるプラズマディスプレイパネルを示す図である。
【図５】本発明の第１の実施の形態にかかるＹ電極駆動部の詳細回路図である。
【図６】本発明の第１の実施の形態にかかる駆動波形図である。
【図７】本発明の第１の実施の形態にかかるＹ電極駆動部のリセット区間において，パネルキャパシタのＹ電極にリセット波形が印加される場合の電流経路を示す図である。
【図８】本発明の第２の実施の形態にかかる駆動波形図である。
【図９】本発明の第３の実施の形態にかかるＹ電極駆動部の回路図である。
【図１０】本発明の第３の実施の形態にかかる駆動波形図である。
【図１１】本発明の第４の実施の形態にかかる駆動波形図である。
【図１２】本発明の第５の実施の形態にかかるＹ電極駆動部の詳細回路図である。
【図１３】本発明の第５の実施の形態にかかる駆動波形図である。
【図１４】本発明の第５の実施の形態にかかるＹ電極駆動部のリセット区間において，パネルキャパシタのＹ電極にリセット波形が印加される場合の電流経路を示す図である。
【符号の説明】
【００７８】
１  第１ガラス基板
２  誘電体層
３  保護膜
４  走査電極
５  維持電極
６  第２ガラス基板
７  絶縁体層
８  アドレス電極
９  隔壁
１０  蛍光体
１１  放電空間
１００  プラズマパネル
２００  アドレス駆動部
３２０  Ｙ電極駆動部
３２１  リセット駆動部
３２２  走査駆動部
３２３  維持駆動部
３４０  Ｘ電極駆動部
４００  制御部
【図１】
2005266776.tif 000003
【図２】
2005266776.tif 000004
【図３】
2005266776.tif 000005
【図４】
2005266776.tif 000006
【図５】
2005266776.tif 000007
【図６】
2005266776.tif 000008
【図７】
2005266776.tif 000009
【図８】
2005266776.tif 000010
【図９】
2005266776.tif 000011
【図１０】
2005266776.tif 000012
【図１１】
2005266776.tif 000013
【図１２】
2005266776.tif 000014
【図１３】
2005266776.tif 000015
【図１４】
2005266776.tif 000016